(57)【要約】【課題】御守り内に祈願対象者や祈願内容の詳細な情報を登録する電子記憶手段を設け、祈願者の満足度を向上し携帯の煩わしさを解消する。【解決手段】内部に電子記憶手段を設けた御守りを、祈願の数に応じて複数の祈願情報記録部を登録できるように構成する。この祈願情報記録部は祈願項目毎に作成され、祈願者が望む文章や画像データを登録できるようにする。神社に設置される御守り発行用コンピュータシステムを通信ネットワークに接続して、遠隔の祈願者からの御守りの発行依頼に対応できるようにしてもよい。【選択図】        図３
2004166956.tif 000002
【特許請求の範囲】
【請求項１】
コンピュータで読み取り／書き込み可能な記憶手段を備える御守りであって、前記記憶手段が少なくとも、神社仏閣の情報を保持する神社情報格納部と、祈願者の情報および祈願項目その他当該祈願項目に付随する情報を登録する祈願内容格納部とを備えることを特徴とする記憶手段付き御守り。
【請求項２】
請求項１に記載の御守りにおいて、前記記憶手段には、複数の神社情報格納部および／または祈願内容格納部を登録しうることを特徴とする記憶手段付き御守り。
【請求項３】
請求項１または２に記載の御守りにおいて、前記祈願内容格納部は、１の祈願内容につき複数の祈願者の情報を登録しうることを特徴とする記憶手段付き御守り。
【請求項４】
請求項１ないし３のいずれかに記載の御守りにおいて、前記祈願内容格納部は、前記付随情報として画像情報を登録しうることを特徴とする記憶手段付き御守り。
【請求項５】
神社仏閣に設置されるコンピュータシステムであって、請求項１ないし４のいずれかに記載の記憶手段用の情報書き込み装置を備えることを特徴とするコンピュータシステム。
【請求項６】
請求項５に記載のコンピュータシステムにおいて、当該コンピュータシステムが通信ネットワークに接続されており、遠隔の祈願希望者の通信端末から当該祈願希望者の情報および祈願項目その他当該祈願項目に付随する情報を受け取る通信手段を備えることを特徴とするコンピュータシステム。
【発明の詳細な説明】
【０００１】
【発明の属する技術分野】
本発明は記憶手段付き御守りに関し、特に、御守り本体に電子記憶手段を設けて祈願対象者の情報や祈願内容を登録できるようにした御守りに関する。
【０００２】
【従来の技術】
一般に、祈願者が神社仏閣で御守りを受ける場合、祈願内容に応じて「合格祈願」「交通安全」などと予め刺繍あるいは印字された御守りを購入する。ここで、複数の祈願がある場合、祈願項目別に複数の御守りを購入し携帯する必要があった。また、御守り札は予め用意されたものであるため、例えば「○○大学合格」といった祈願者の個別具体的な祈願内容を御守りの中に収めることができなかった。
【０００３】
御守りに関する提案として、神社仏閣で祈願者が御守り札を受けるときに、その場でプリント機または刺繍機により記名できるようにした御守り札がある（例えば、特許文献１）。祈願者が御守り札に自分の名前を記名することで、いわば自分用にカスタマイズされた唯一の御守りを手に入れることができ、心理的な満足感を得ることができる。
【０００４】
また、コンピュータ読み取り可能な記憶媒体の表面に御守り札の表示を付したものがある（例えば、特許文献２）。この従来例では、ＣＤ−ＲＯＭなどの記憶媒体に祝詞や参拝などの神事の仮想体験を提供するソフトウェアが格納されており、ユーザがパソコンにインストールして仮想参拝などを行うことができる。
【０００５】
また、メモリチップ等の記録媒体に個人データを登録して、御守り袋に収容した電子御守がある（例えば、特許文献３）。これは、例えば老人や小児などに住所等の個人データを携帯させたい場合に、データを登録した記録媒体を親しみ易い御守り袋に収容することにより、老人の近代的なものへの敬遠意識を緩和させるとともに携帯し忘れを防止する効果を狙ったものである。この文献には記録媒体に登録されるデータの詳細について開示がないが、携帯者が迷子や事故に逢った場合にその身元を示すような個人データが登録されるものと思われる。
【０００６】
【特許文献１】
特開２０００−２７０９９８公報
【特許文献２】
実用新案登録第３０７０６０８号公報
【特許文献３】
特開平９−３７９２４号公報
【０００７】
【発明が解決しようとする課題】
しかしながら、従来の御守りでは、複数の祈願がある場合には各祈願内容に応じた複数の御守りを携帯しなければならず不便であった。また、御守りに具体的な祈願内容の詳細（祈願者の個人情報や合格したい具体的な学校名など）を収めることができなかった。上記特許文献１によれば御守りに自分の名前を印字あるいは刺繍することができるが、物理的な印字領域が制限されており、詳細な祈願内容まで記載できるものではない。また、祈願者が複数である場合には、全員の名前を記載できない可能性もある。また、特許文献２および特許文献３は、記録媒体に祈願者毎の具体的な祈願内容を登録するものではない。
【０００８】
本発明の目的は、電子記憶部に祈願者の個人情報や祈願内容を登録することにより、御守りの物理的な大きさに制限されることがなく、さらに複数の祈願内容を登録できるようにした御守りを提供することにある。また、本発明は、祈願内容に応じて祈願対象者の情報、必要な画像、祈願項目に付加する文言等を登録できるようにして、例えば複数の祈願者が望む加護を受けることのできる御守りを提供することを目的とする。
【０００９】
【課題を解決するための手段】
この目的を達成するために、本願に係る発明は、コンピュータで読み取り／書き込み可能な記憶手段を備える御守りであって、前記記憶手段が少なくとも、神社仏閣の情報を保持する神社情報格納部と、祈願者の情報および祈願項目その他当該祈願項目に付随する情報を登録する祈願内容格納部とを備えることを特徴とする。このように、御守り内部に電子的な記憶手段を設けているので、御守りの物理的な大きさに制限されることなく祈願内容の詳細を登録することができ、祈願者毎に唯一の御守りを提供して心理的な満足を与えることができる。
【００１０】
また、前記記憶手段には、複数の神社情報格納部および／または祈願内容格納部を登録しうることを特徴とする。従来は祈願項目のそれぞれについて予め用意された御守りを購入していたため、複数の祈願項目がある場合には複数の御守りを携帯しなければならず、また、複数の神社からの加護を受けたい場合には神社毎に異なる御守りを携帯する必要があった。本発明では記憶手段に複数の神社情報格納部および／または祈願内容格納部を設けることにより、１つの御守りに複数の神社情報および／または祈願内容を格納することができるため、複数の御守りを携帯する必要がなくなる。
【００１１】
また、前記祈願内容格納部は、１の祈願内容につき複数の祈願者の情報を登録しうることを特徴とする。このように祈願内容格納部を構成することにより、複数の祈願者が１の事項について祈願する場合でも、御守りの物理的な大きさに制限されることなく１つの御守りに各祈願者の情報を登録することができる。
【００１２】
また、前記祈願内容格納部は、前記付随情報として画像情報を登録しうることを特徴とする。このように記憶手段を構成すると、例えば絵馬等の画像を御守りに収めることができ、祈願者の満足度がより一層向上する。
【００１３】
一方、本発明は、神社仏閣に設置されるコンピュータシステムであって、請求項１ないし４のいずれかに記載の記憶手段用の情報書き込み装置を備えることを特徴とするコンピュータシステムに関する。このコンピュータシステムは、神社仏閣で御守りを発行するために用いるものである。このコンピュータシステムは、通信ネットワークに接続されており、遠隔の祈願希望者の通信端末から当該祈願希望者の情報および祈願項目その他当該祈願項目に付随する情報を受け取る通信手段を備えるようにしてもよい。これによれば、遠隔の祈願者から祈願内容を受け付け、御守りに内容を登録したうえで神職者が祈祷を行い、祈願者のもとへ発送するといった実施形態を実現することができる。
【００１４】
【発明の実施の形態】
本発明の実施の形態を、添付の図面を参照しながら以下に詳細に説明する。図１は、本発明に係る御守りの一実施例の外観を示す図である。図１を参照すると、御守りの容姿を印刷した御守り本体１０に、この御守りを発行する神社仏閣の名称１１が印刷されている。この御守りはＩＣカードとして構成されており、図示しないが、内部にデータ記録可能なＩＣチップ（記憶手段）を備えている。図１に示す実施例では「○○神社」と印字しているが、この名称は図２に示す如く「○○寺」であってもよいし、単に「御守り」などと印字してあってもよい。なお、ＩＣカード自体は公知技術であるためその詳細な説明はここに省略するが、この御守りはこれを発行する神社に設置される専用コンピュータでのみ書き込みが許可され、他のコンピュータに対しては読み取り専用として動作する。
【００１５】
図３は、図１または図２に示す御守りが有する記憶手段の内部構成の一例を示すイメージ図である。記憶手段２０は、神社仏閣の固有情報を記録するための神社情報格納部２１と、祈願内容を登録する祈願情報記録部２２とで構成されている。ここで、祈願情報記録部２２は、祈願の数により複数登録することができる。
【００１６】
神社情報格納部２１は、御守りに予め登録される情報を格納する領域であり、神社名称記録部２３と、神仏情報記録部２４と、付加情報記録部２５とを備えている。神社名称記録部２３には、当該御守りを発行する神社仏閣の名称、例えば「○○神社」、「△△寺」、「□□大社」といった名称が登録される。神仏情報記録部２４には、「神仏を表すもの」の情報、例えば御神体、御本尊、お経などの名称が登録される。この神仏情報記録部２４にはさらに、御神体等の画像やお経の一部などの音声データを登録するようにしてもよい。付加情報記録部２５は、神社等の情報、例えば所在地情報や神社の歴史、建物の画像や「神仏を表すもの」の説明などの情報が登録される。
【００１７】
祈願情報記録部２２は、祈願対象者情報記録部２６と、祈願項目記録部２７と、祈願内容記録部２８と、付随情報記録部２９とで構成されている。祈願対象者情報記録部２６は、祈願対象者を特定する情報、例えば、祈願対象者の住所氏名や顔写真などを登録する領域である。また、家族全員で一つの祈願を申し込むような場合には、複数の祈願対象者のそれぞれにつき氏名等の情報を登録することができる。祈願項目記録部２７は、例えば、「合格祈願」、「健康祈願」、「家内安全」、「交通祈願」、「商売繁盛」、「開運御守」など、予め神社側で設定した祈願項目から祈願者が指定する祈願項目を登録する領域である。なお、１つの祈願情報記録部２２について１つの祈願項目が登録されるものとし、これとは別の祈願項目を登録したい場合には、新たな祈願情報記録部２２を記憶手段２０内に別途設けるようにする。祈願内容記録部２８には、祈願項目についてさらに付加したい内容、例えば、祈願項目が「合格祈願」である場合の「○○大学に合格できますように」といった具体的な大学名が入った文章や、祈願内容を記した絵馬の画像などが登録される。付随情報記録部２９には、祈願の登録に付随する情報、例えば、祈願を行った日時、祈祷を行った場合にはその神職者の情報などが記録される。
【００１８】
この御守りを発行する手順を図４に示す。祈願者が御守りを受けたい場合は、神社仏閣に出向き、御守りの発行担当者に依頼する。神社等の発行担当者は、祈願者がすでに本発明の御守りを所有しているかどうかを訊き（ステップＳ１）、祈願者が所有していない場合や新しい御守りの発行を希望する場合には、神社等の発行担当者は、既に神社情報記録部２１の情報が登録されている新規の御守りを用意する（ステップＳ２）。祈願者が既に本発明の御守りを所有している場合は、その御守りを一時的に受け取り次のステップに進む。
【００１９】
次に、神社等の発行担当者は、祈願者から祈願対象者の情報、例えば、祈願対象者の名前の一覧や、祈願対象者の写真などを提出してもらい、これらの情報を取得する（ステップＳ３）。そして、発行担当者は、神社に設置されたコンピュータシステムに向かい、キーボードやスキャナなどの入力装置を用いてこれらの情報を入力し、御守りの記録手段２０用の情報書き込み装置を介して御守りの祈願情報記録部２２の祈願対象者情報記録部２６に登録する（ステップＳ４）。
【００２０】
次に、発行担当者は、神社側で予め用意した複数の祈願項目（例えば、「合格祈願」、「家内安全」等）リストから祈願者に希望する項目を選択してもらい、キーボード等の入力装置から選択された祈願項目を入力し、御守りの祈願情報記録部２２の祈願項目記録部２７に登録する（ステップＳ５）。
【００２１】
次に、神社等の発行担当者は、祈願者から祈願内容の情報を取得する（ステップＳ６）。これは、祈願内容の文言を聴取したり、祈願内容を記した紙や絵馬などを祈願者に提出してもらうことにより行われる。そして、ここで得た情報をキーボードやスキャナ等の入力装置によりコンピュータシステムに取り込み、書き込み装置を介して祈願情報記録部２２の祈願内容記録部２８に登録する（ステップＳ７）。
【００２２】
その後、担当者は祈願者に記録を希望する祈願が他にあるかどうかを訊き、さらに記録すべき祈願がある場合には、前記ステップＳ３に戻り以降の処理を繰り返す（ステップＳ８）。希望する別の祈願がない場合は、書き込み装置より御守りを取り出し、祈祷など必要な儀式（その御守りが効果を発するように願いを込めるような儀式）を行った後、祈願者に御守りを手渡す。
【００２３】
このような処理により作成された御守りの登録情報を、例えば祈願者のパーソナルコンピュータ等で読み込んで画面表示した例を図５に示す。図５を参照すると、表示画面３０は、神社名表示部４０と、神仏情報表示部４１と、神社情報表示部４２と、祈願内容表示欄４３とを備えている。この祈願内容表示欄４３は祈願の数に応じて複数設けられており、各欄が祈願対象者表示部４４と、祈願項目表示部４５と、祈願内容表示部４６とからなる。
【００２４】
神社名称表示部４０は、御守りの神社情報格納部２１の神社名称記録部２３の記録内容を表示する。神仏情報表示部４１は、神社情報格納部２１の神仏情報記録部２４の記録内容を表示する。神社情報表示部４２は、神社情報格納部２１の付加情報記録部２５の記録内容を表示する。
【００２５】
祈願対象者表示部４４は、御守りの祈願情報記録部２２の祈願対象者情報記録部２６の記録内容を表示する。祈願項目表示部４５は、祈願情報記録部２２の祈願項目記録部２７の記録内容を表示する。祈願内容表示部４６は、祈願情報記録部２２の祈願内容記録部２８の登録内容を表示する。１つの御守りに複数の祈願が収められている場合には、祈願毎に祈願内容表示欄４３が複数設けられ上記の情報を表示している。
【００２６】
以上の画面表示は、祈願者のパソコンに専用ソフトウェアをインストールするか、御守りの記憶装置内に当該出力を実現するファイルを格納しておくことにより達成することができる。前者の方法では、例えば、パソコンの読み取り装置が御守りを検出したら、その記録内容を読み出して上記の配列で自動的に表示するようなソフトウェアを、御守りの記憶手段２０内に予め格納して祈願者に提供するといった実施例を考えることができる。あるいは、このようなソフトウェアをフレキシブルディスクなど別の記録媒体に格納して祈願者に提供してもよいし、インターネットを介したダウンロードといった形式で祈願者に提供してもよい。また、後者の方法では、例えば、図５に示す情報配列を定義する画面記述言語（例えば、ＨＴＭＬ）ファイルを予め御守りの記憶手段２０に格納しておき、祈願者が自分のパソコンで当該ファイルを開くと図５の画面が表示されるように構成することが考えられる。ＨＴＭＬを用いたフレーム分割やこれを表示するためのブラウザ手段は公知であるので、これ以上の詳細な説明は省略する。
【００２７】
図６は、上記実施形態の応用例を示す図である。図６を参照すると、神社仏閣に設置された神社端末５１と、御守りを受ける祈願者が扱う祈願者端末５２とが通信ネットワーク５３を介して接続されている。神社端末５１は、上記実施形態で説明した神社のコンピュータシステムであり、少なくとも、ネットワーク５３を介して祈願者端末５２より情報を受信する通信手段と、御守りの記憶手段２０用の書き込み装置（例えば、ＩＣカードライタ）とを備えている。また、祈願者端末５２は祈願者が自宅等に有するパーソナルコンピュータであり、少なくともキーボードやスキャナ等の入力手段と、神社端末５１に情報を送信する通信手段とを備えている。通信ネットワーク５３は例えばインターネットである。
【００２８】
このシステムは、例えば祈願者が遠隔地から御守りの発行を受けたい場合に利用される。すなわち、祈願者は、祈願者端末５２を用いて祈願対象者の情報（図４ステップＳ３参照）および祈願内容の情報（図４ステップＳ６参照）を入力し、ネットワーク５３を介して神社端末５１に送信する。神社端末５１はこの情報を受信したら御守りの記憶手段２０の適宜の領域（図３参照）に記録する。その後、神社において祈祷などの必要な処理を行い、郵送等の手段で祈願者のもとへ発送する。このシステムによれば、神社仏閣が遠隔地にある場合であっても、そこまで出向く移動時間や経費をかけずに自分用に作成された唯一の御守りを手にすることができる。
【００２９】
本発明の実施形態について詳細に説明したが、本発明の技術的範囲は上述した実施例に限られるものではなく、本発明は他の様々な実施例として実現することができる。例えば、上記実施形態では一つの神社が発行する御守りに複数の祈願を登録できるようにしているが、これをさらに応用して、１つの御守りに複数の神社仏閣の祈願を収めるようにしてもよい。このようにすれば、祈願者は神社毎に異なる複数の御守りを携帯する必要がなくなる。
【００３０】
【発明の効果】
以上に詳細に説明したように、本発明によれば、祈願者の望む個別具体的な祈願内容の詳細を御守りに収めて、祈願者の満足度を向上させることができる。なぜなら、祈願対象者や祈願内容について、祈願者が望む文章や画像を、御守りの物理的な大きさに制限されることなく登録することができるからである。
【００３１】
また、御守りの記憶手段に複数の祈願内容を登録できるようにしているため、祈願が複数ある場合でも、祈願毎に異なる複数の御守りを携帯する必要がなくなり、祈願者の煩わしさを軽減することができる。
【図面の簡単な説明】
【図１】本発明に係る御守りの外観を示す図である。
【図２】図１に示す御守りの別の実施例を示す図である。
【図３】御守りの記憶手段に格納されるデータ構成の一例を示す図である。
【図４】本発明の御守りを発行する手順を説明する図である。
【図５】御守りの登録情報を表示した画面例を示す図である。
【図６】本発明の別の実施形態を説明する図である。
【符号の説明】
１０    御守り本体
２０    記憶手段
２１    神社情報格納部
２２    祈願情報記録部
２３    神社名称記録部
２４    神仏情報記録部
２５    付加情報記録部
２６    祈願対象者情報記録部
２７    祈願項目記録部
２８    祈願内容記録部
２９    付随情報記録部
３０    表示画面
５１    神社端末
５２    祈願者端末
５３    通信ネットワーク
【図１】
2004166956.tif 000003
【図２】
2004166956.tif 000004
【図３】
2004166956.tif 000005
【図４】
2004166956.tif 000006
【図５】
2004166956.tif 000007
【図６】
2004166956.tif 000008